(57)【要約】      （修正有）【課題】両手が自由に使える状態で、傘の持ち運びや保持のできる傘ホルダーを提供する。【解決手段】一端に開口部１ａが形成された平面視オメガ状の成形体である被着弾性体１と、同様に一端に開口部２ａが形成された平面視オメガ状の傘保持弾性体２とが、各背面相互において、連結手段３を介して着脱自在に、かつ、連結姿勢変更自在に連結される。このほか、被着弾性体１と傘保持弾性体２の両開口部１ａ、２ａに、その間口を絞り込んで狭小する間口狭小手段を配設して提供されるほか、連結手段３としては、挿入軸３ａと挿入孔３ｅの嵌着状態で回転自在にして、膨出部３ｂと膨径部３ｆの係合により抜け止めを図ること、マグネットによる単なる吸磁状態で両弾性体１、２を連結するものから、大径側の座盤１ｂに設けた嵌入孔に小径側の座盤２ｂを嵌入した状態で両マグネットの吸磁力で両者を連結する形態などとしても良い。【選択図】図１
0003182542.tif 000002
【実用新案登録請求の範囲】
【請求項１】
人体の腕や足を挟む弾性体クリップと、傘の折りたたみ状態でその外周を挟む弾性体クリップと、両者を連結する連結手段とから成る傘ホルダーにおいて、
前記両弾性体クリップが、一端に開口部が形成された平面視オメガ状の成形体から成り、前記連携手段が、両成形体の各他端背面相互を着脱自在に、かつ、連結姿勢変更自在に連結して成る傘ホルダー。
【請求項２】
前記両成形体の各開口部に、その開口幅を狭小せしめる間口狭小手段を配設して成り、それぞれの成形体における保持強度を確保できることを特徴とする請求項１記載の傘ホルダー。
【請求項３】
前記連結手段が、一方の成形体の背面に縮径自在な膨出部を有して突設される挿入軸と、他方の成形体の背面に貫設され、前記膨出部が回転自在に嵌着される膨径部を有する嵌入孔とから成る請求項１又は２記載の傘ホルダー。
【請求項４】
前記連結手段が、一方の成形体の背面に埋設固定されるマグネットと、他方の成形体の背面に埋設固定されるマグネットとから成り、両マグネットの吸磁力によって両成形体を着脱自在に、かつ、姿勢変更自在に連結して成る請求項１又は２記載の傘ホルダー。
【考案の詳細な説明】
【技術分野】
【０００１】
本考案は、傘ホルダーに関する。
【背景技術】
【０００２】
本考案に関連する先行技術として、特開２００８−７３４９３号公報（特許文献１）に提案されている傘差し保持具は、人体の片腕に支えられる弾性体クリップと、傘の柄を支える弾性体クリップと、両者を連結固定する棒（連結手段）とから成るものであるが、これをバスや電車などの乗り物内で使用しようとすると、人体の腕や足に装着する弾性クリップと、傘を保持する弾性クリップとの連結が固定的であるため、人体側への弾性クリップの取付け姿勢に対して、傘の保持状態を常にコンパクトな姿勢で鉛直方向に変更できない欠点がある。
【先行技術文献】
【特許文献】
【０００３】
【特許文献１】特開２００８−７３４９３号公報
【考案の概要】
【考案が解決しようとする課題】
【０００４】
本考案は、両手が自由に使える状態で傘の持ち運びや保持のできる傘ホルダーを提供しようとする。
【課題を解決するための手段】
【０００５】
本考案の請求項１に記載した傘ホルダーは、人体の腕や足を挟む弾性体クリップと、傘の折りたたみ状態でその外周を挟む弾性体クリップと、両者を連結する連結手段とから成る傘ホルダーにおいて、
前記両弾性体クリップが、一端に開口部が形成された平面視オメガ状の成形体から成り、前記連結手段が、両成形体の各他端背面相互を着脱自在に、かつ、連結姿勢変更自在に連結して成る。
請求項２に記載した考案は、請求項１に記載した傘ホルダーにおいて、
前記両成形体の各開口部に、その開口幅を狭小せしめる間口狭小手段を配設して成り、それぞれ成形体における保持強度を確保できることを特徴とする。
請求項３に記載した考案は、請求項１又は２に記載した傘ホルダーにおいて、
前記連結手段が、一方の成形体の背面に縮径自在な膨出部を有して突設される挿入軸と、他方の成形体の背面に貫設され、前記膨出部が回転自在に嵌着される膨径部を有する嵌入孔とから成る。
請求項４に記載した考案は、請求項１又は２に記載した傘ホルダーにおいて、
前記連結手段が、一方の成形体の背面に埋設固定されるマグネットと、他方の成形体の背面に埋設固定されるマグネットとから成り、両マグネットの吸磁力によって両成形体を着脱自在に、かつ、姿勢変更自在に連結して成る。
【考案の効果】
【０００６】
本考案に係る傘ホルダーによれば、傘の持ち運びやバスや電車内での傘保持が、両手を自由な状態でなされるから不自由さが解消される上、その傘保持状態を一方の成形体の腕や足への取着状態に応じて、他人に迷惑のかからぬ姿勢に確保できるものであり、さらには両成形体が合成樹脂による射出成形技術で量産され得るから、安価に提供できるなどの効果がある。
【図面の簡単な説明】
【０００７】
【図１】本考案に係る傘ホルダーＡの一部を破断した平面図。
【図２】図１の正面図。
【図３】図１において、傘Ｐを挟持する傘保持弾性体（成形体）２を90°姿勢変更した状態の説明図。
【図４】被着弾性体（成形体）１と傘保持弾性体２との連結手段３の説明図で、（ａ）は挿入軸３aを挿入孔３eに挿入する前の状態を示し、（ｂ）は挿入軸３aの膨出部３bが挿入孔３eに挿入された状態を示す。
【図５】本考案に係る傘ホルダーＢの平面図。
【図６】図５の部分Ｐ矢視図。
【図７】被着弾性体１と傘保持弾性体２との連結手段３の他の実施態様を示す説明図。
【図８】連結手段３におけるマグネット４、５による吸磁連結の他の実施態様を示す説明図。
【図９】上腕７を介して傘Ｐを保持する場合の傘ホルダーＡの使用説明図。
【図１０】足のふくらはぎ９を介して傘Ｐを保持する場合の傘ホルダーＡの使用説明図。
【考案を実施するための形態】
【０００８】
本考案において、各成形体の開口部の開口幅を狭小せしめる間口狭小手段は、開口部の一端に固定されたバンドの他端を面状ファスナーを介して開口部の他端側に固定された面状ファスナーに噛合するものから、開口部の両側部に固定された各面状ファスナーにおいて、両端に面状ファスナーを有するバンドで噛合するものなどであり、また、連結手段において、一方の成形体の背面に突設する挿入軸は、該成形体と一体であるほか、着脱自在な挿入軸とするものでもよい。さらに、各成形体の背面に設けた座盤に埋設したマグネットの吸磁力で両成形体の背面相互を連結する連結手段においては、大径側の座盤に設けた嵌入孔に小径側の座盤を嵌入した状態でマグネット相互の吸磁力で連結する形態も提供される。
【実施例１】
【０００９】
本考案を図面を参照して具体的に説明すると、図１、図２に示す傘ホルダーＡは、一端に開口部１aが形成された所要高さの平面視オメガ状の大径の成形体である被着弾性体１と、同様に一端に開口部２aが形成された同背丈の平面視オメガ状の小径なる成形体である傘保持弾性体２と、両者の背面相互を着脱自在に、かつ、姿勢変更自在に連結する連結手段３とから成る。
そして、被着弾性体１は傘Ｐを保持する傘保持弾性体２と異なり、人体の腕や足に装着される側であるから、空間の設定許容範囲が広く、装着時の開口部１aの拡幅などで背面側に曲げ応力がかかることから、その部分を肉厚にするとともに、その部分からの反作用による締付け力をも確保しようとするものである。
また、連結手段３は図４に示すように、傘保持弾性体２の背面に形成した円形の座盤２bの中心より挿入軸３aを突設し、該挿入軸３aはその先端部に所定方向で軸径より大径なる球面の膨出部３bが形成され、かつ、その先端から軸心に沿って所要位置にわん曲変形を許容する小孔３cが該軸心に直交して貫設され、さらに、先端から該小孔３cに向けて先細り状のスリット３dが切り欠かれ、該スリット３dの上下面に前記の膨出部３bが形成され、挿入孔３eへの挿入時には分図（ａ）、（ｂ）に示すように、挿入軸３aの先端部は縮径自在に変形され、挿入孔３eに収まる姿勢となる。一方、被着弾性体１の背面に形成した円形の座盤１bの中心からは挿入軸３aが嵌着される前記の挿入孔３eが貫設され、この挿入孔３eの内部所要位置には挿入軸３aの膨出部３bが嵌着する膨径部３fが内周面全面に渡って形成され、挿入孔３eにおいて挿入軸３aが抜け止めされるとともに、360°回転自在に保持されるのである。
したがって、被着弾性体１の被着姿勢の如何に拘わらず、傘保持弾性体２の姿勢を容易に変更できるから、バスや電車内での状況に応じて他人の迷惑にならぬように傘Ｐを保持できることとなる。
なお、本実施例では傘保持弾性体２に挿入軸３aを配設し、被着弾性体１に挿入孔３eを形成したものであるが、本考案はこれに限定するものではなく、傘保持弾性体２に挿入孔３eを形成し、被着弾性体１に挿入軸３aを配設して提供され得ることは勿論のことである。
このほか、前記の挿入軸３aと挿入孔３eとの連結手段３に代えて、図７に示すように、被着弾性体１の座盤１bにマグネット４を埋設して接着剤４aで固定し、傘保持弾性体２にも同様に、座盤２bに前記マグネット４と吸磁する向きにマグネット５を埋設して接着剤５aで固定して提供される。
この場合には図８に示すように、被着弾性体１の座盤１bを大径として嵌入孔３gを形成し、他方の傘保持弾性体２の座盤２bを嵌入孔３gに嵌入した状態で吸磁連結すれば、吸磁面に沿う脱却が防止される。この逆で、座盤２bを大径として嵌入孔３gを形成し、他方の被着弾性体１の座盤１bを嵌入孔３gに嵌入して吸磁連結することでもよい。
【実施例２】
【００１０】
次に、本考案に係る傘ホルダーＢについて説明すると、このものは図５に示すように、被着弾性体１及び傘保持弾性体２の両者の開口部１a、２aに、その開口幅を狭小せしめる間口狭小手段６を配設して成る。
すなわち、間口狭小手段６は開口部１a、２aの一方にその一端が接着剤で固定され、他端に面状ファスナー６aが固着されたバンド６bと、開口部１a、２aの他方で固着され、バンド６bの面状ファスナー６aと噛合される面状ファスナー６cとから成る。
本実施例２では、オメガ状に外方へ反り返った開口部１a、２aにそれぞれ挿入口１c、２cを開口し、一端を固定したバンド６bの他端を両挿入口１c、２cを経て、それぞれの開口部１a、２aの他方で固着された面状ファスナー６cにその面状ファスナー６aを噛合して図５の矢印方向にその間口を狭小化しつつ、被着状態や傘Pの保持状態をより安全に確保できる。
なお、バンド６bによる開口部１a、２aの絞り込みだけを考えれば、前記の挿入口１c、２cを開口しなくても開口部１a、２aの両端を覆うようにバンド６bをかけ渡して狭小化することもできる。
このほか、開口部１a、２aの両側にそれぞれ面状ファスナー６cを固着し、バンド６bの両端にそれぞれ前記の面状ファスナー６cに噛合する面状ファスナー６aを固着し、このようなバンド６bで開口部１a、２aを狭小化することも提案される。
【００１１】
ここで、実施例１で述べた傘ホルダーＡの使用例を示すと、図９に示したものは腕の上腕７に開口部１aから被着弾性体１を押し込んで取着し、傘保持弾性体２の開口部２aより折りたたんだ傘（使用後で雨にぬれた場合ではポリ袋１０に入れるなどした傘）Ｐを押し込めば、両手が自由に使える状態で傘Ｐを上腕７に保持できる。また、仮想線で示すように、肘を曲げた状態の腕の前腕８に被着弾性体１を取着するときは、連結手段３を介して被着弾性体１に対して傘保持弾性体２を90°回転し、オメガ状の空間の軸心が鉛直方向となるようにその姿勢を変更すれば、傘保持弾性体２に対して折りたたんだ状態の傘Ｐを鉛直方向に保持できる。なお、被着弾性体１を前腕８の内側から取着したときは、傘Ｐを人体の内方側に抱え込んだ状態で傘保持弾性体２に保持できるから、混雑する車内での傘保持には他人に迷惑をかけることなく都合がよい。
【００１２】
次に、足のふくらはぎに傘Ｐを保持する使用例で説明すると、図１０に示すように、被着弾性体１を着座状態のふくらはぎ９の上部に開口部１aから押し込んで取着し、傘Ｐの柄が足先の方向へ傾かないように、体の方向に向けて被着弾性体１に対して連結手段３を介して傘保持弾性体２を若干回転し、傘保持弾性体２にその開口部２aから折りたたんだ傘（使用後で雨にぬれた場合ではポリ袋１０に入れるなどした傘）Ｐを押し込んで保持する。本実施例２ではふくらはぎ９の上部に外側から被着弾性体１を取着したものであるが、内側から被着弾性体１を取着した場合は、両足の間で傘保持弾性体２に傘Ｐを保持できるから、混雑する車内での傘保持には都合がよい。
なお、基本的には被着弾性体１と傘保持弾性体２とは共に、材質そのものの弾性変形を利用して足や腕に取着したり、傘Ｐを保持するものであり、所要の締め付け力との兼ね合いを図りつつ、適度な弾性変形を確保すべく、各弾性体１、２の上縁や下縁から所要の深さで所要数のスリット（図外）を入れることもある
【産業上の利用可能性】
【００１３】
本考案の傘ホルダーは、それを構成する両成形体共に合成樹脂の射出成形技術によってなされるものであるから、射出成形業界に貢献し、また、傘使用後の始末の不自由さを解消することから、傘の需要にも影響を与えるなどで傘製造業界の活性化にも資するものである。
【符号の説明】
【００１４】
１：被着弾性体
１a：開口部
１b：座盤
１c：挿入口
２：傘保持弾性体
２a：開口部
２b：座盤
２c：挿入口
３：連結手段
３a：挿入軸
３b：膨出部
３c：小孔
３d：スリット
３e：挿入孔
３f：膨径部
３g：嵌入孔
４：マグネット
４a：接着剤
５：マグネット
５a：接着剤 
６：間口狭小手段
６a、６c：面状ファスナー
６b：バンド
７：上腕
８：前腕
９：ふくらはぎ
１０：ポリ袋
Ｐ：傘
Ａ、Ｂ：傘ホルダー
【図１】
0003182542.tif 000003
【図２】
0003182542.tif 000004
【図３】
0003182542.tif 000005
【図４】
0003182542.tif 000006
【図５】
0003182542.tif 000007
【図６】
0003182542.tif 000008
【図７】
0003182542.tif 000009
【図８】
0003182542.tif 000010
【図９】
0003182542.tif 000011
【図１０】
0003182542.tif 000012